【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法において、
挟帯域通信のために前記ＵＥに割り振られているリソースブロック（ＲＢ）内の１つ以上のトーンを示すアップリンク許可を受信することと、
前記アップリンク許可中に示されている前記１つ以上のトーンを使用して送信することとを含み、
前記アップリンク許可は、単一トーン、３トーン、６トーン、または、１２トーンのうちの少なくとも１つのスケジューリングユニットサイズを使用して、狭帯域通信のために前記１つ以上のトーンを示し、
前記示すことは、ビットのセットを介して提供され、
前記ビットのセットの異なる値は、前記ＲＢ内の１つ以上の隣接トーンの異なる組み合わせを示し、
前記異なる組み合わせは、前記スケジューリングユニットサイズに基づいており、
前記第１のセットの異なる値は、前記１つ以上の隣接トーンの異なる組み合わせを示し、
前記第２のセットの異なる値は、単一トーン割り振りを示し、
前記第３のセットの異なる値は、非隣接トーン割り振りを示す方法。
【請求項２】
前記１つ以上の隣接トーンの異なる組み合わせに対する開始トーン位置は、制限されている請求項１記載の方法。
【請求項３】
前記制限は、１２トーンのスケジューリングユニットサイズに対して１つの組み合わせ、６トーンのスケジューリングユニットサイズに対して２つの組み合わせ、３トーンのスケジューリングユニットサイズに対して４つの組み合わせ、単一トーンのスケジューリングユニットサイズに対して１２の組み合わせがあるようなものである請求項２記載の方法。
【請求項４】
前記アップリンク許可中に示されている前記１つ以上のトーンを使用して送信するときに使用するための変調スキームを示すシグナリングを受信することをさらに含む請求項１記載の方法。
【請求項５】
前記非隣接トーン割り振りは、均一に間隔が空けられているトーンを含む請求項１記載の方法。
【請求項６】
周波数ホッピングパターンを示すシグナリングを受信することをさらに含む請求項１記載の方法。
【請求項７】
基地局（ＢＳ）によるワイヤレス通信のための方法において、
狭帯域通信のためにユーザ機器（ＵＥ）に割り振られているリソースブロック（ＲＢ）内の１つ以上のトーンを示すアップリンク許可をＵＥに送ることと、
前記アップリンク許可中に示されている前記１つ以上のトーン上で前記ＵＥからの送信を受信することとを含み、
前記アップリンク許可は、単一トーン、３トーン、６トーン、または、１２トーンのうちの少なくとも１つのスケジューリングユニットサイズを使用して、狭帯域通信のために前記１つ以上のトーンを示し、
前記示すことは、ビットのセットを介して提供され、
前記ビットのセットの異なる値は、前記ＲＢ内の１つ以上の隣接トーンの異なる組み合わせを示し、
前記異なる組み合わせは、前記スケジューリングユニットサイズに基づいており、
前記第１のセットの異なる値は、前記１つ以上の隣接トーンの異なる組み合わせを示し、
前記第２のセットの異なる値は、単一トーン割り振りを示し、
前記第３のセットの異なる値は、非隣接トーン割り振りを示す方法。
【請求項８】
前記１つ以上の隣接トーンの異なる組み合わせに対する開始トーン位置は、制限されている請求項７記載の方法。
【請求項９】
前記制限は、１２トーンのスケジューリングユニットサイズに対して１つの組み合わせ、６トーンのスケジューリングユニットサイズに対して２つの組み合わせ、３トーンのスケジューリングユニットサイズに対して４つの組み合わせ、単一トーンのスケジューリングユニットサイズに対して１２の組み合わせがあるようなものである請求項８記載の方法。
【請求項１０】
前記アップリンク許可中に示されている前記１つ以上のトーン上で送信するときに前記ＵＥが使用するための変調スキームを示すシグナリングを送ることをさらに含む請求項７記載の方法。
【請求項１１】
前記非隣接トーン割り振りは、均一に間隔が空けられているトーンを含む請求項７記載の方法。
【請求項１２】
周波数ホッピングパターンを示すシグナリングを送ることをさらに含む請求項７記載の方法。
【請求項１３】
コンピュータプログラムにおいて、
プロセッサによって実行されるとき、請求項１ないし６、または、７ないし１２のうちのいずれかにしたがう方法を実行するための命令を含むコンピュータプログラム。
【請求項１４】
ユーザ機器（ＵＥ）によるワイヤレス通信のための装置において、
挟帯域通信のために前記ＵＥに割り振られているリソースブロック（ＲＢ）内の１つ以上のトーンを示すアップリンク許可を受信する手段と、
前記アップリンク許可中に示されている前記１つ以上のトーンを使用して送信する手段とを具備し、
前記アップリンク許可は、単一トーン、３トーン、６トーン、または、１２トーンのうちの少なくとも１つのスケジューリングユニットサイズを使用して、狭帯域通信のために前記１つ以上のトーンを示し、
前記示すことは、ビットのセットを介して提供され、
前記ビットのセットの異なる値は、前記ＲＢ内の１つ以上の隣接トーンの異なる組み合わせを示し、
前記異なる組み合わせは、前記スケジューリングユニットサイズに基づいており、
前記第１のセットの異なる値は、前記１つ以上の隣接トーンの異なる組み合わせを示し、
前記第２のセットの異なる値は、単一トーン割り振りを示し、
前記第３のセットの異なる値は、非隣接トーン割り振りを示す装置。
【請求項１５】
基地局（ＢＳ）によるワイヤレス通信のための装置において、
狭帯域通信のためにユーザ機器（ＵＥ）に割り振られているリソースブロック（ＲＢ）内の１つ以上のトーンを示すアップリンク許可を前記ＵＥに送る手段と、
前記アップリンク許可中に示されている前記１つ以上のトーン上で前記ＵＥからの送信を受信する手段とを具備し、
前記アップリンク許可は、単一トーン、３トーン、６トーン、または、１２トーンのうちの少なくとも１つのスケジューリングユニットサイズを使用して、狭帯域通信のために前記１つ以上のトーンを示し、
前記示すことは、ビットのセットを介して提供され、
前記ビットのセットの異なる値は、前記ＲＢ内の１つ以上の隣接トーンの異なる組み合わせを示し、
前記異なる組み合わせは、前記スケジューリングユニットサイズに基づいており、
前記第１のセットの異なる値は、前記１つ以上の隣接トーンの異なる組み合わせを示し、
前記第２のセットの異なる値は、単一トーン割り振りを示し、
前記第３のセットの異なる値は、非隣接トーン割り振りを示す装置。
【手続補正２】
【補正対象書類名】明細書
【補正対象項目名】０１４６
【補正方法】変更
【補正の内容】
【０１４６】
［０１６１］
特許請求の範囲が、上記に図解したまさにそのコンフィギュレーションおよびコンポーネントに限定されないことを理解すべきである。さまざまな改良、変更、および、バリエーションが、上記で説明した方法ならびに装置の構成、動作、および、詳細において、特許請求の範囲から逸脱することなく行われてもよい。
以下に、本願出願の当初の特許請求の範囲に記載された発明を付記する。
［１］  ユーザ機器（ＵＥ）によるワイヤレス通信のための方法において、
挟帯域通信のために前記ＵＥに割り振られているリソースブロック（ＲＢ）内の１つ以上のトーンを示すアップリンク許可を受信することと、
前記アップリンク許可中に示されている前記１つ以上のトーンを使用して送信することとを含む方法。
［２］  前記１つ以上のトーンは、１５ｋＨｚトーンまたは３．７５ｋＨｚトーンを含む［１］記載の方法。
［３］  前記アップリンク許可は、単一トーン、３トーン、６トーン、または、１２トーンのうちの少なくとも１つのスケジューリングユニットサイズを使用して、狭帯域通信のために前記１つ以上のトーンを示す［１］記載の方法。
［４］  表示は、ビットのセットを介して提供され、
前記ビットのセットの異なる値は、前記ＲＢ内の１つ以上の隣接トーンの異なる組み合わせを示し、
前記異なる組み合わせは、前記スケジューリングユニットサイズに基づいている［３］記載の方法。
［５］  前記ビットのセットは、前記１つ以上のトーンが３．７５ｋＨｚトーンを含む場合、第１の数のビットを含み、または、前記１つ以上のトーンが１５ｋＨｚトーンを含む場合、前記第１の数のビットより少ない第２の数のビットを含む［４］記載の方法。
［６］  前記第１の数のビットは、５ビットを含み、
前記第２の数のビットは、６ビットを含む［５］記載の方法。
［７］  前記１つ以上の隣接トーンの異なる組み合わせに対する開始トーン位置は、制限されている［４］記載の方法。
［８］  前記制限は、１２トーンのスケジューリングユニットサイズに対して１つの組み合わせ、６トーンのスケジューリングユニットサイズに対して２つの組み合わせ、４トーンのスケジューリングユニットサイズに対して４つの組み合わせ、単一トーンのスケジューリングユニットサイズに対して１２の組み合わせがあるようなものである［７］記載の方法。
［９］  前記ビットのセットは、５ビットを含む［４］記載の方法。
［１０］  前記異なる値の第１のセットは、前記１つ以上の隣接トーンの異なる組み合わせを示し、
前記異なる値の第２のセットは、単一トーン割り振りを示す［４］記載の方法。
［１１］  前記異なる値の第３のセットは、非隣接トーン割り振りを示す［１０］記載の方法。
［１２］  前記アップリンク許可中に示されている前記１つ以上のトーンを使用して送信するときに使用するための変調スキームを示すシグナリングを受信することをさらに含む［４］記載の方法。
［１３］  前記変調スキームを示すシグナリングは、無線リソース制御（ＲＲＣ）シグナリングを介して提供される［１２］記載の方法。
［１４］  前記変調スキームは、単一搬送波周波数分割多重化（ＳＣ−ＦＤＭ）、８つの２位相シフトキーイング（ＢＰＳＫ）、または、トーンポジションシフトキーイング（ＴＰＳＫ）を含む［１２］記載の方法。
［１５］  前記変調スキームを示す前記シグナリングはまた、前記ビットのセットの異なる値を介して提供される［１２］記載の方法。
［１６］  ＵＥ能力の表示を提供することをさらに含み、前記アップリンク許可は、前記示されているＵＥ能力に基づいている［１］記載の方法。
［１７］  前記非隣接トーン割り振りは、均一に間隔が空けられているトーンを含む［１１］記載の方法。
［１８］  前記１つ以上のトーンは、３．７５ｋＨｚトーンを含み、
前記１つ以上のトーンは、前記ＲＢ中で利用可能なトーンのすべてよりも少ないトーンに制限されている［２］記載の方法。
［１９］  前記制限は、前記ＵＥの識別子に基づいている、または、前記制限されているトーンを示す、基地局（ＢＳ）からのシグナリングに基づいている［１８］記載の方法。
［２０］  周波数ホッピングパターンを示すシグナリングを受信することをさらに含む［１］記載の方法。
［２１］  前記周波数ホッピングパターンの表示は、挟帯域または広帯域による周波数ホッピングと、周波数ホッピングされることになるトーンの数とを示す［２０］記載の方法。
［２２］  前記周波数ホッピングされることになるトーンの数の表示は、周波数ホッピングが許容される最大帯域幅に基づいて暗黙的にシグナリングされる［２１］記載の方法。
［２３］  前記周波数ホッピングの表示は、基地局によってブロードキャストされる［２１］記載の方法。
［２４］  前記周波数ホッピングされることになるトーンの数は、連続的である［２１］記載の方法。
［２５］  前記周波数ホッピングパターンは、異なる帯域幅サイズに対して再帰的に計算される［２１］記載の方法。
［２６］  基地局（ＢＳ）によるワイヤレス通信のための方法において、
狭帯域通信のためにユーザ機器（ＵＥ）に割り振られているリソースブロック（ＲＢ）内の１つ以上のトーンを示すアップリンク許可をＵＥに送ることと、
前記アップリンク許可中に示されている前記１つ以上のトーン上で前記ＵＥからの送信を受信することとを含む方法。
［２７］  前記１つ以上のトーンは、１５ｋＨｚトーンまたは３．７５ｋＨｚトーンを含む［２６］記載の方法。
［２８］  前記アップリンク許可は、単一トーン、３トーン、６トーン、または、１２トーンのうちの少なくとも１つのスケジューリングユニットサイズを使用して、狭帯域通信のために前記１つ以上のトーンを示す［２６］記載の方法。
［２９］  表示は、ビットのセットを介して提供され、
前記ビットのセットの異なる値は、前記ＲＢ内の１つ以上の隣接トーンの異なる組み合わせを示し、
前記異なる組み合わせは、前記スケジューリングユニットサイズに基づいている［２８］記載の方法。
［３０］  前記ビットのセットは、前記１つ以上のトーンが３．７５ｋＨｚトーンを含む場合、第１の数のビットを含み、または、前記１つ以上のトーンが１５ｋＨｚトーンを含む場合、前記第１の数のビットより少ない第２の数のビットを含む［２９］記載の方法。
［３１］  前記第１の数のビットは、５ビットを含み、
前記第２の数のビットは、６ビットを含む［３０］記載の方法。
［３２］  前記１つ以上の隣接トーンの異なる組み合わせに対する開始トーン位置は、制限されている［２９］記載の方法。
［３３］  前記制限は、１２トーンのスケジューリングユニットサイズに対して１つの組み合わせ、６トーンのスケジューリングユニットサイズに対して２つの組み合わせ、４トーンのスケジューリングユニットサイズに対して４つの組み合わせ、単一トーンのスケジューリングユニットサイズに対して１２の組み合わせがあるようなものである［３２］記載の方法。
［３４］  前記ビットのセットは、５ビットを含む［２９］記載の方法。
［３５］  前記異なる値の第１のセットは、前記１つ以上の隣接トーンの異なる組み合わせを示し、
前記異なる値の第２のセットは、単一トーン割り振りを示す［２９］記載の方法。
［３６］  前記異なる値の第３のセットは、非隣接トーン割り振りを示す［３５］記載の方法。
［３７］  前記アップリンク許可中に示されている前記１つ以上のトーン上で送信するときに前記ＵＥが使用するための変調スキームを示すシグナリングを送ることをさらに含む［２９］記載の方法。
［３８］  前記変調スキームを示すシグナリングは、無線リソース制御（ＲＲＣ）シグナリングを介して提供される［３７］記載の方法。
［３９］  前記変調スキームは、単一搬送波周波数分割多重化（ＳＣ−ＦＤＭ）、８つの２位相シフトキーイング（ＢＰＳＫ）、または、トーンポジションシフトキーイング（ＴＰＳＫ）を含む［３７］記載の方法。
［４０］  前記変調スキームを示す前記シグナリングはまた、前記ビットのセットの異なる値を介して提供される［３７］記載の方法。
［４１］  ＵＥ能力の表示を受信することをさらに含み、前記アップリンク許可は、前記示されているＵＥ能力に基づいている［２６］記載の方法。
［４２］  前記非隣接トーン割り振りは、均一に間隔が空けられているトーンを含む［３６］記載の方法。
［４３］  前記１つ以上のトーンは、３．７５ｋＨｚトーンを含み、
前記１つ以上のトーンは、前記ＲＢ中で利用可能なトーンのすべてよりも少ないトーンに制限されている［２７］記載の方法。
［４４］  前記制限は、前記ＵＥの識別子に基づいている、または、前記制限されているトーンを示す、基地局（ＢＳ）からのシグナリングに基づいている［４３］記載の方法。
［４５］  周波数ホッピングパターンを示すシグナリングを送ることをさらに含む［２６］記載の方法。
［４６］  前記周波数ホッピングパターンの表示は、挟帯域または広帯域による周波数ホッピングと、周波数ホッピングされることになるトーンの数とを示す［４５］記載の方法。
［４７］  前記周波数ホッピングされることになるトーンの数の表示は、周波数ホッピングが許容される最大帯域幅に基づいて暗黙的にシグナリングされる［４６］記載の方法。
［４８］  前記周波数ホッピングの表示は、前記表示をブロードキャストすることを含む［４６］記載の方法。
［４９］  前記周波数ホッピングされることになるトーンの数は、連続的である［４６］記載の方法。
［５０］  異なる帯域幅サイズに対して前記周波数ホッピングパターンを再帰的に計算することをさらに含む［４６］記載の方法。
［５１］  ユーザ機器（ＵＥ）によるワイヤレス通信のための装置において、
挟帯域通信のために前記ＵＥに割り振られているリソースブロック（ＲＢ）内の１つ以上のトーンを示すアップリンク許可を受信する手段と、
前記アップリンク許可中に示されている前記１つ以上のトーンを使用して送信する手段とを具備する装置。
［５２］  基地局（ＢＳ）によるワイヤレス通信のための装置において、
狭帯域通信のためにユーザ機器（ＵＥ）に割り振られているリソースブロック（ＲＢ）内の１つ以上のトーンを示すアップリンク許可を前記ＵＥに送る手段と、
前記アップリンク許可中に示されている前記１つ以上のトーン上で前記ＵＥからの送信を受信する手段とを具備する装置。
［５３］  ユーザ機器（ＵＥ）によるワイヤレス通信のための装置において、
挟帯域通信のために前記ＵＥに割り振られているリソースブロック（ＲＢ）内の１つ以上のトーンを示すアップリンク許可を受信するように構成されている受信機と、
前記アップリンク許可中に示されている前記１つ以上のトーンを使用して送信するように構成されている送信機とを具備する装置。
［５４］  基地局（ＢＳ）によるワイヤレス通信のための装置において、
狭帯域通信のためにユーザ機器（ＵＥ）に割り振られているリソースブロック（ＲＢ）内の１つ以上のトーンを示すアップリンク許可をＵＥに送るように構成されている送信機と、
前記アップリンク許可中に示されている前記１つ以上のトーン上で前記ＵＥからの送信を受信するように構成されている受信機とを具備する装置。
［５５］  コンピュータ実行可能なコードを記憶しているコンピュータ読取可能媒体において、
挟帯域通信のためにユーザ機器（ＵＥ）に割り振られているリソースブロック（ＲＢ）内の１つ以上のトーンを示すアップリンク許可を受信するためのコードと、
前記アップリンク許可中に示されている前記１つ以上のトーンを使用して送信するためのコードとを含むコンピュータ読取可能媒体。
［５６］  コンピュータ実行可能なコードを記憶しているコンピュータ読取可能媒体において、
狭帯域通信のためにユーザ機器（ＵＥ）に割り振られているリソースブロック（ＲＢ）内の１つ以上のトーンを示すアップリンク許可を前記ＵＥに送るためのコードと、
前記アップリンク許可中に示されている前記１つ以上のトーン上で前記ＵＥからの送信を受信するためのコードとを含むコンピュータ読取可能媒体。